(57)【要約】【課題】  高速回転時の保持器の捩れ変形を抑制することができる転がり軸受用樹脂製保持器及びこの保持器を用いた転がり軸受を提供する。【解決手段】  転がり軸受１０の複数の転動体３を転動可能に保持し、円周方向に互いに隣り合うポケット部１５と、ポケット部１５の内周面の円周方向両端部に軸方向に突出する一対の爪部１６と、一対の爪部１６間に形成される転動体３をポケット部１５に挿入するための開口部１７と、を備える円環状の転がり軸受用樹脂製保持器１４であって、ポケット部１５間の柱部１８において、開口部１７から離間する側の軸方向端部に肉ぬすみ部１９を設け、肉ぬすみ部１９にリブ２０を設け、さらに、柱部１８の開口部１７側の軸方向端部に肉ぬすみ部２１を設ける。【選択図】  図２
2007032821.tif 000002
【特許請求の範囲】
【請求項１】
転がり軸受の複数の転動体を転動可能に保持し、円周方向に互いに隣り合うポケット部と、前記ポケット部の内周面の円周方向両端部に軸方向に突出する一対の爪部と、前記一対の爪部間に形成される前記転動体を前記ポケット部に挿入するための開口部と、を備える円環状の転がり軸受用樹脂製保持器であって、
前記ポケット部間の柱部において、前記開口部から離間する側の軸方向端部に肉ぬすみ部を設け、前記肉ぬすみ部にリブを設けることを特徴とする転がり軸受用樹脂製保持器。
【請求項２】
前記柱部の前記開口部側の軸方向端部に肉ぬすみ部を設けることを特徴とする請求項１記載の転がり軸受用樹脂製保持器。
【請求項３】
前記開口部から離間する側の軸方向端部に形成される前記肉ぬすみ部を前記ポケット部に貫通させることを特徴とする請求項１又は２記載の転がり軸受用樹脂製保持器。
【請求項４】
外輪と内輪との間に複数の転動体が円環状の樹脂製保持器を介して円周方向に転動可能に配設される転がり軸受であって、
前記樹脂製保持器として、請求項１〜３のいずれかに記載の転がり軸受用樹脂製保持器を使用することを特徴とする転がり軸受。
【発明の詳細な説明】
【技術分野】
【０００１】
本発明は、転がり軸受用樹脂製保持器及びこの転がり軸受用樹脂製保持器を組み込んだ転がり軸受に関し、特に、樹脂製保持器の強度の向上と、軸受の高速回転化に関する。
【背景技術】
【０００２】
従来の転がり軸受としては、図９に示すような転がり軸受５０が知られており、この転がり軸受５０は、内輪１と外輪２との間に転動体としての複数の玉３が配設された深溝玉軸受であり、複数の玉３は、円環状の冠型保持器４を介して円周方向に略等間隔で転動可能に保持されている。
【０００３】
そして、近年の軽量化、低騒音化及び高速化等の要求に伴い、冠型保持器４には、ガラス繊維を含有させたポリアミド樹脂材等で射出成形される樹脂製保持器が多く使用されている。その樹脂製保持器の一例として、図１０〜図１２に示すような冠型の樹脂製保持器が知られている（例えば、特許文献１〜５参照）。
【０００４】
冠型保持器４は、合成樹脂の射出成形等により形成されており、冠型保持器４には、複数の玉３を円周方向に略等間隔で転動可能に保持するポケット部５が形成され、このポケット部５の内周面の円周方向両端部には軸方向に突出する一対の爪部６が設けられている。また、一対の爪部６には、開口部７が形成されており、この開口部７から玉３を一対の爪部６を押し広げつつポケット部５に押し込むことにより、ポケット部５内に玉３が微小な隙間を介して転動可能に保持される。
【０００５】
また、冠型保持器４の円周方向に互いに隣り合うポケット部５間の柱部８には、それぞれ肉ぬすみ部９と呼ばれる空間部（凹溝形状）が設けられており、この肉ぬすみ部９は、樹脂成形時において、樹脂肉厚不均等による変形を抑制するために保持器各部位の肉厚を均等に近くすることや、保持器軽量化などの理由により設けられている。
【０００６】
肉ぬすみ部９は、冠型樹脂製保持器の場合、通常、柱部８における開口部７から離間する側（以下、保持器リム側という）の軸方向端部に形成され、柱部８の開口部７近傍（図１０のＸ部参照。）及びポケット部５の内周面において均等肉厚になるように台形形状をなしている。
【０００７】
【特許文献１】特開平１１−１３２２３８号公報
【特許文献２】実開平６−８８２１号公報
【特許文献３】特開２００３−３５３１７号公報
【特許文献４】特開平７−２１７６５９号公報
【特許文献５】特開昭６１−２１５８１１号公報
【発明の開示】
【発明が解決しようとする課題】
【０００８】
しかしながら、従来の転がり軸受５０に組み込まれている冠型保持器４では、開口部７側と保持器リム側とが軸方向において非対称な断面形状になっているため、近年の高速回転化への対応により、転がり軸受５０にｄｍＮ（ｄｍ：軸受内径と外径との平均、Ｎ：軸受回転速度）が８０万を超えるような高速回転をさせる場合、図１３に示すように、開口部７側の軸方向端部に保持器回転（転動体公転）による遠心力が働き、保持器リム側の軸方向端部を捩れ軸とした弾性或いは塑性変形による捩れ変形が生じる虞があるため、保持器の開口部側の軸方向端部に生じる慣性力の低減や、保持器の高剛性化が強く要望されている。
【０００９】
本発明は、このような不都合を解消するためになされたものであり、その目的は、高速回転時の保持器の捩れ変形を抑制することができる転がり軸受用樹脂製保持器及びこの保持器を用いた転がり軸受を提供することにある。
【課題を解決するための手段】
【００１０】
本発明の上記目的は、下記の構成により達成される。
（１）  転がり軸受の複数の転動体を転動可能に保持し、円周方向に互いに隣り合うポケット部と、ポケット部の内周面の円周方向両端部に軸方向に突出する一対の爪部と、一対の爪部間に形成される転動体をポケット部に挿入するための開口部と、を備える円環状の転がり軸受用樹脂製保持器であって、ポケット部間の柱部において、開口部から離間する側の軸方向端部に肉ぬすみ部を設け、肉ぬすみ部にリブを設けることを特徴とする転がり軸受用樹脂製保持器。
（２）  柱部の開口部側の軸方向端部に肉ぬすみ部を設けることを特徴とする（１）に記載の転がり軸受用樹脂製保持器。
（３）  開口部から離間する側の軸方向端部に形成される肉ぬすみ部をポケット部に貫通させることを特徴とする（１）又は（２）に記載の転がり軸受用樹脂製保持器。
（４）  外輪と内輪との間に複数の転動体が円環状の樹脂製保持器を介して円周方向に転動可能に配設される転がり軸受であって、樹脂製保持器として、（１）〜（３）のいずれかに記載の転がり軸受用樹脂製保持器を使用することを特徴とする転がり軸受。
【発明の効果】
【００１１】
本発明の転がり軸受用樹脂製保持器及び転がり軸受によれば、ポケット部間の柱部において、開口部から離間する側の軸方向端部に肉ぬすみ部を設け、肉ぬすみ部にリブを設けるため、保持器の剛性を向上することができるので、高速回転時の保持器の捩れ変形を抑制することができる。
【００１２】
また、本発明の転がり軸受用樹脂製保持器及び転がり軸受によれば、柱部の開口部側の軸方向端部に肉ぬすみ部を設けるため、保持器の開口部側の軸方向端部に生じる慣性力を低減することができる。これにより、保持器への遠心力の影響を抑制することができるので、高速回転時の保持器の捩れ変形をさらに抑制することができる。
【００１３】
さらに、本発明の転がり軸受用樹脂製保持器及び転がり軸受によれば、開口部から離間する側の軸方向端部に形成される肉ぬすみ部をポケット部に貫通させるため、保持器の軽量化を図ることができ、また、軸受内部の潤滑剤の貫通性を向上することができるので、潤滑性能や冷却性能を向上することができる。
【発明を実施するための最良の形態】
【００１４】
以下、本発明に係る転がり軸受用樹脂製保持器及び転がり軸受の各実施形態について、図面を参照して詳細に説明する。
【００１５】
（第１実施形態）
まず、図１〜図６を参照して、本発明に係る転がり軸受用樹脂製保持器及び転がり軸受の第１実施形態について説明する。
図１は本発明に係る転がり軸受用樹脂製保持器及び転がり軸受を説明するための断面図、図２は本発明に係る転がり軸受用樹脂製保持器の第１実施形態を説明するための部分展開図、図３は図２に示す転がり軸受用樹脂製保持器を開口部側から見た斜視図、図４は図３に示す転がり軸受用樹脂製保持器を保持器リム側から見た斜視図、図５は図３に示す転がり軸受用樹脂製保持器の要部拡大図、図６は図４に示す転がり軸受用樹脂製保持器の要部拡大図である。
【００１６】
本実施形態の転がり軸受１０は、図１に示すように、内輪１１と外輪１２との間に転動体としての複数の玉１３が配設された深溝玉軸受であり、複数の玉１３は本実施形態の転がり軸受用樹脂製保持器である冠型樹脂製保持器１４を介して円周方向に略等間隔で転動可能に保持されている。
【００１７】
冠型樹脂製保持器１４は、転動体案内の冠型保持器であり、合成樹脂の射出成形等により一体に形成されている。図２〜図４に示すように、冠型樹脂製保持器１４には、複数の玉１３を円周方向に略等間隔で転動可能に保持するポケット部１５が形成され、このポケット部１５の内周面の円周方向両端部には軸方向に突出する一対の爪部１６が設けられている。また、一対の爪部１６の各先端間には開口部１７形成されており、開口部１７から玉１３を一対の爪部１６を押し広げつつポケット部１５に押し込むことにより、ポケット部１５内に玉１３が微小なすきまを介して転動可能に保持される。
【００１８】
また、冠型樹脂製保持器１４の円周方向に互いに隣り合う各ポケット部１５間の柱部１８には、図２、図４及び図６に示すように、それぞれ肉ぬすみ部１９が設けられている。この肉ぬすみ部１９は、柱部１８の保持器リム側の軸方向端部に形成されており、ポケット部１５の内周面との間において均等肉厚になるように略台形形状をなしている。
【００１９】
そして、本実施形態では、肉ぬすみ部１９にリブ２０を設けて肉ぬすみ部１９の空間を分割すると共に、図２、図３及び図５に示すように、柱部１８の開口部１７側の軸方向端部に略矩形状の肉ぬすみ部２１を設けている。
【００２０】
リブ２０は、柱部１８の保持器リム側の軸方向端面（図２のＹ部参照。）に配置される底リブ２０ａと、肉ぬすみ部１９の空間部を軸方向に横切る一対の軸方向リブ２０ｂと、を備えており、このリブ２０の内部に肉ぬすみ部２１が設けられる。また、各リブ２０ａ，２０ｂの肉厚は、肉ぬすみ部１９とポケット部１５の内周面との間の肉厚と略均等とされている。
【００２１】
従って、本実施形態の転がり軸受用樹脂製保持器１４及び転がり軸受１０よれば、ポケット部１５間の柱部１８において、開口部１７から離間する側の軸方向端部に肉ぬすみ部１９を設け、肉ぬすみ部１９にリブ２０を設けるため、保持器１４の剛性を向上することができるので、高速回転時の保持器の捩れ変形を抑制することができる。
【００２２】
また、本実施形態の転がり軸受用樹脂製保持器１４及び転がり軸受１０によれば、柱部１８の開口部側の軸方向端部に肉ぬすみ部２１を設けるため、保持器の開口部側の軸方向端部に生じる慣性力を低減することができる。これにより、保持器１４への遠心力の影響を抑制することができるので、高速回転時の保持器の捩れ変形をさらに抑制することができる。
【００２３】
さらに、本実施形態の転がり軸受用樹脂製保持器１４及び転がり軸受１０によれば、各リブ２０ａ，２０ｂの肉厚が、肉ぬすみ部１９とポケット部１５の内周面との間の肉厚と略均等とされているため、樹脂成形時の変形についても従来型の保持器と同様に抑制することができる。
【００２４】
（第２実施形態）
次に、図７及び図８を参照して、本発明に係る転がり軸受用樹脂製保持器及び転がり軸受の第２実施形態について説明する。なお、第１実施形態と同一又は同等部分については、図面に同一符号を付してその説明を省略或いは簡略化する。
図７は本発明に係る転がり軸受用樹脂製保持器の第２実施形態を説明するための斜視図、図８は図７に示す転がり軸受用樹脂製保持器の要部拡大図である。
【００２５】
本実施形態の冠型樹脂製保持器２４は、図７及び図８に示すように、柱部１８の保持器リム側の軸方向端部に形成される肉ぬすみ部１９をポケット部１５の内周面に貫通させて、ポケット部１５の内周面に開口孔２２を形成している。
【００２６】
従って、本実施形態の転がり軸受用樹脂製保持器２４及び転がり軸受１０によれば、柱部１８の保持器リム側の軸方向端部に形成される肉ぬすみ部１９をポケット部１５に貫通させるため、保持器２４の軽量化を図ることができ、また、軸受内部の潤滑剤の貫通性を向上することができるので、潤滑性能や冷却性能を向上することができる。
その他の構成及び作用効果については、上記した第１実施形態と同様である。
【００２７】
なお、本発明は、前述した各実施形態に限定されるものではなく、適宜、変形、改良等が可能である。
例えば、例えば、上記実施形態では、保持器案内の冠型樹脂製保持器に本発明を適用した場合を例示したが、これに限定されず、転動体案内や軌道輪案内の保持器に本発明を適用してもよい。
【００２８】
なお、本発明の転動体、ポケット部、爪部、開口部、柱部、肉ぬすみ部、リブ、外輪、内輪、保持器等の構成は、上記実施形態に限定されるものではなく、本発明の要旨を逸脱しない範囲において適宜変更可能である。
【図面の簡単な説明】
【００２９】
【図１】本発明に係る転がり軸受用樹脂製保持器及び転がり軸受を説明するための断面図である。
【図２】本発明に係る転がり軸受用樹脂製保持器の第１実施形態を説明するための部分展開図である。
【図３】図２に示す転がり軸受用樹脂製保持器を開口部側から見た斜視図である。
【図４】図３に示す転がり軸受用樹脂製保持器を保持器リム側から見た斜視図である。
【図５】図３に示す転がり軸受用樹脂製保持器の要部拡大図である。
【図６】図４に示す転がり軸受用樹脂製保持器の要部拡大図である。
【図７】本発明に係る転がり軸受用樹脂製保持器の第２実施形態を説明するための斜視図である。
【図８】図７に示す転がり軸受用樹脂製保持器の要部拡大図である。
【図９】従来の冠型樹脂製保持器を組み込んだ転がり軸受を説明するための断面図である。
【図１０】図９に示す冠型樹脂製保持器を説明するための部分展開図である。
【図１１】図１０に示す冠型樹脂製保持器を開口部側から見た斜視図である。
【図１２】図１１に示す冠型樹脂製保持器を保持器リム側から見た斜視図である。
【図１３】従来の冠型樹脂製保持器に生じる捩れ変形を説明するための要部断面図である。
【符号の説明】
【００３０】
１０          転がり軸受
１１          内輪
１２          外輪
１３          玉（転動体）
１４，２４    冠型樹脂製保持器（転がり軸受用樹脂製保持器）
１５          ポケット部
１６          爪部
１７          開口部
１８          柱部
１９          肉ぬすみ部
２０          リブ
２１          肉ぬすみ部
２２          開口孔
【図１】
2007032821.tif 000003
【図２】
2007032821.tif 000004
【図３】
2007032821.tif 000005
【図４】
2007032821.tif 000006
【図５】
2007032821.tif 000007
【図６】
2007032821.tif 000008
【図７】
2007032821.tif 000009
【図８】
2007032821.tif 000010
【図９】
2007032821.tif 000011
【図１０】
2007032821.tif 000012
【図１１】
2007032821.tif 000013
【図１２】
2007032821.tif 000014
【図１３】
2007032821.tif 000015